(57)【要約】      （修正有）【課題】ＬＥＤランプの使用寿命を大幅に延長し、美観性と構造強度も向上できるＬＥＤ照明用Ｔバーを提供する。【解決手段】ＴバーとＬＥＤランプを有し、ＬＥＤランプは、Ｔバー又はＴバーの補助フレームの下側面に粘着して設けられる。【選択図】図１
0003178486.tif 000002
【実用新案登録請求の範囲】
【請求項１】
ＴバーとＬＥＤランプを有し、前記ＬＥＤランプが前記Ｔバーの下側面に粘着して設けられることを特徴とするＬＥＤ照明用Ｔバー。
【請求項２】
前記ＬＥＤランプは、前記Ｔバーの補助フレームの下側面に粘着して設けられることを特徴とする請求項１に記載のＬＥＤ照明用Ｔバー。
【請求項３】
前記ＬＥＤランプは、ＳＭＤ粘着法によってランプテープに製造した後、前記ランプテープを直接に前記Ｔバーの下側面に固定することを特徴とする請求項１に記載のＬＥＤ照明用Ｔバー。
【請求項４】
前記ＬＥＤランプは、複数であると共に、前記Ｔバーの下側面に均一に分布されることを特徴とする請求項１に記載のＬＥＤ照明用Ｔバー。
【考案の詳細な説明】
【技術分野】
【０００１】
本考案は、照明装置に関し、特にＬＥＤランプを建築材と結合して照明システムが構成されるＬＥＤ照明用Ｔバーに関するものである。
【背景技術】
【０００２】
現在の業界で使用されているＬＥＤランプなどは、アルミニウムの基板など熱放散効果を有する材料と結合した後、追加して設置されるランプフレームなどによって壁や天井などに固定される。
【考案の概要】
【考案が解決しようとする課題】
【０００３】
しかしながら、前記のＬＥＤランプの設置構成が複雑であり、コストも高く、更に取り外しとメンテナンスがし難いだけではなく、見た目も悪いため、使用者の需要に満足し難いことがある。
【課題を解決するための手段】
【０００４】
本考案の目的は、前記従来構成の問題に鑑み、ＬＥＤ照明用Ｔバーを提供しようとするものであり、これはＬＥＤランプとＴバーとの結合設計で照明装置の構成を簡素化し、取り付けとメンテナンスのコストを降下すると共に、光の分布もより均一させ、且つＬＥＤランプの使用寿命を延長し、更に美観性も向上する。
【０００５】
上記の目的を達成するために、本考案は下記の手段を採用する。本考案に係わるＬＥＤ照明用Ｔバーは、ＴバーとＬＥＤランプを有し、前記ＬＥＤランプが前記Ｔバーの下側面に粘着して設けられる。前記ＬＥＤランプは前記Ｔバーの補助フレームの下側面に粘着して設けられる。特に、前記ＬＥＤランプは、ＳＭＤ粘着法によってランプテープに製造した後、前記ランプテープを直接に前記Ｔバーの下側面に固定する。前記ＬＥＤランプは、複数であると共に、前記Ｔバーの下側面に均一に分布される。
【考案の効果】
【０００６】
本考案は上記の課題を解決するものであり、従来の構成と比べて下記のようなメリットを有する。
（１）本考案によれば、従来のＴバーの設計を変更してＬＥＤランプを直接に粘着し、特にＳＭＤ粘着法によってランプテープを製造した後、前記ランプテープを前記Ｔバーの下側面に直接に固定することにより、ＬＥＤランプを外側に露出すると共に、電源コードが隠され、且つ従来のアルミニウム基板の代わりにＴバーを使用して熱放散効果を図ることにより、コストを節約し、熱放散の面積が向上し、優れた効果を達成でき、従って、ＬＥＤランプの使用寿命を大幅に延長するだけではなく、美観性と構造強度も向上できる。
（２）本考案の構成によれば、Ｔバーの補助フレーム（小Ｔと呼ばれる）に対して設計を行い、ＬＥＤランプの増減と交換を簡単に行うことができ、且つ特定の照明領域にＬＥＤ照明用Ｔバーの設置位置を調整できることにより、「有効照明の利用」を図り、省エネとエコの効果を達成できる。
（３）建築材とＬＥＤランプのコストを同時に節約する目的を図ることができ、且つ従来の照明システム構成と比較してエネルギーを大幅に節約することができる。
【図面の簡単な説明】
【０００７】
【図１】本考案に係わるＬＥＤ照明用Ｔバーの実施例を示す側面図である。
【図２】本考案に係わるＬＥＤ照明用Ｔバーの実施例を示す底面図である。
【考案を実施するための形態】
【０００８】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【０００９】
本考案による提供される「ＬＥＤ照明用Ｔバー」は、図１及び図２に示すように、そのＬＥＤ照明用Ｔバーは、Ｔバー（１）と複数のＬＥＤランプ（２）から構成されるランプテープを有し、前記ランプテープは前記Ｔバー（１）の下側面に粘着される。
【００１０】
前記ＬＥＤランプ（２）は、ＳＭＤ粘着法によってランプテープを製造した後、前記ランプテープを直接に前記Ｔバー（１）の下側面に固定する。
【００１１】
本実施例は、従来のＴバーの設計を変更してＬＥＤランプ（２）をＳＭＤ粘着法によってランプテープに製造した後、前記ランプテープを前記Ｔバー（１）の下側面に直接に固定することにより、ＬＥＤランプ（２）を外側に露出すると共に、電源コード（３）が隠され、且つ従来のアルミニウム基板の代わりにＴバー（１）を使用して熱放散効果を図ることにより、コストを節約し、熱放散の面積が向上し、優れた効果を達成でき、従って、ＬＥＤランプの使用寿命を大幅に延長するだけではなく、美観性と構造強度も向上できる。
【００１２】
更に、Ｔバーの構成は、主フレーム（大Ｔと呼ばれる）と、補助フレーム（小Ｔと呼ばれる）と、吊フレームとを有し、前記補助フレームはメンテナンスを便利に行うものであるため、本考案のＬＥＤランプのランプテープをＴバー（１）の補助フレームの下側面に粘着することが好ましい。このような設計は、ＬＥＤランプの増減と交換を簡単に行うことができ、且つ特定の照明領域にＬＥＤ照明用Ｔバー（１）の設置位置を調整できることにより、「有効照明の利用」を図り、省エネの効果を達成できる。
【００１３】
又、前記ＬＥＤランプ（２）は、複数のであると共に、前記Ｔバーの下側面に均一に分布される。
【００１４】
本考案に係わるＬＥＤ照明用Ｔバーに用いられるＬＥＤランプの効率、数量、ランプカバーの有無及び規格は、電源ＤＣ１２Ｖ，０．２Ｗ×３０ＰＣ（５Ｗ）の方が好ましい。しかも、照明の需要に応じて増減することができる。
【００１５】
本考案の設計によれば、従来の照明装置構成と比べて下記のような効果を有する。
（１）従来の蛍光灯：３．６×３.６ｍ２の照明面積に３５Ｗの蛍光灯が４枚を使用し、即ち、エネルギーの損耗は、４×３６/３.６/３.６＝１１.１１Ｗ/ｍ２である。
（２）ＬＥＤ照明用Ｔバー（１）の設置：同照明面積に５ＷのＬＥＤ照明用Ｔバー（１）が１２枚を使用し、即ち、エネルギーの損耗は、１２×５/３.６/３.６＝４.６３Ｗ/ｍ２である。
【産業上の利用可能性】
【００１６】
本考案は上記の構成を有し、ランプ（ＬＥＤ）と建築材（Ｔバー）とを完璧に結合することにより、ランプを均一に分布すること、簡単に装着すること、省エネ、設置コストの節約、美観性を図ることができ、更にＴバー（１）の金属の優れた熱放散効果を重ねってＴバー（１）の構造強度を降下しないため、オフィス、工場、ビルの廊下、売り場などの場所に本考案のＴバー（１）を好適に使用できる。
【符号の説明】
【００１７】
１          Ｔバー
２          ＬＥＤランプ
３          電源コード
【図１】
0003178486.tif 000003
【図２】
0003178486.tif 000004